(57)【要約】      （修正有）【課題】物品を吊下げることができると共に、照明機能を備える室内玄関情景照明フックランプを提供する。【解決手段】室内玄関情景照明フックランプは、ハウジング１０と、照明装置２０と、複数の吊下げフック３０と、鉄杆４０と、電源と、復位部材５０と、ばね６０と、を備え、壁板上に取付けられて照明機能及び物品吊下げ機能を得る。照明装置２０は、電源と電気的に接続される。照明装置２０、電源、鉄杆４０、復位部材５０及びばね６０は、ハウジング１０内に取り付けられる。吊下げフック３０は、鉄杆４０を介してハウジング１０の外表面の一側に等間隔で枢着されるとともに、鉄杆４０を軸として旋回可能である。復位部材５０は、吊下げフック３０に当接される。ばね６０は、一端がハウジング１０に当接され、他端が復位部材５０内に取り付けられる。【選択図】図３
0003226218.tif 000002
【実用新案登録請求の範囲】
【請求項１】
ハウジングと、照明装置と、複数の吊下げフックと、鉄杆と、電源と、復位部材と、ばねと、を備え、壁板上に取付けられて照明機能及び物品吊下げ機能を得る、室内玄関情景照明フックランプであって、
前記照明装置は、前記電源と電気的に接続され、
前記照明装置、前記電源、前記鉄杆、前記復位部材及び前記ばねは、前記ハウジング内に取り付けられ、
前記吊下げフックは、前記鉄杆を介して前記ハウジングの外表面の一側に等間隔で枢着されるとともに、前記鉄杆を軸として旋回可能であり、
前記復位部材は、前記吊下げフックに当接され、
前記ばねは、一端が前記ハウジングに当接され、他端が前記復位部材内に取り付けられ、
物品を吊下げるときは、前記吊下げフックを開き、前記吊下げフックを旋回させると前記復位部材が内方に押圧され、前記ばねが収縮し、物品が前記吊下げフックの一側端で支えられるため、前記吊下げフックが落下するか速く復位することを防ぎ、物品を前記吊下げフックから取り外すときは、手で前記吊下げフックを引っ張ると、前記復位部材及び前記ばねの組み合わせにより、前記ハウジング上に復位し、前記吊下げフックが不用意に外れて開くことを防ぐことを特徴とする、室内玄関情景照明フックランプ。
【請求項２】
前記ハウジングの外表面の一側には、複数の装着溝が形成され、
前記吊下げフックは、前記装着溝内に取り付けられることを特徴とする請求項１に記載の室内玄関情景照明フックランプ。
【請求項３】
前記装着溝の上下両側には、横溝が形成され、
前記装着溝の底部の横溝の両側溝壁上には、装着孔が形成され、
前記吊下げフックの底部には、前記吊下げフックを貫通する接続孔が形成され、
前記鉄杆が前記接続孔及び前記装着孔に挿通され、前記ハウジングの外表面上には、前記吊下げフックが枢着されることを特徴とする請求項２に記載の室内玄関情景照明フックランプ。
【請求項４】
前記吊下げフックの頂部には、横向きに延びたバンプが延設され、
前記吊下げフックが閉じられると、前記バンプは前記装着溝の頂部の横溝の溝口を覆うことを特徴とする請求項３に記載の室内玄関情景照明フックランプ。
【請求項５】
前記照明装置は、照明部及び透明カバーを有し、
前記ハウジングの頂部には、開口溝が形成され、
前記照明部は、前記ハウジング内に取り付けられるとともに、電源と接続され、
前記透明カバーは、前記開口溝に取り付けられることを特徴とする請求項１に記載の室内玄関情景照明フックランプ。
【請求項６】
複数のねじ軸と、２組の蓋板と、後蓋と、をさらに備え、
２組の前記蓋板は、前記ハウジングの両側を覆い、
前記ねじ軸は、前記ハウジング及び前記後蓋に挿通され、
前記後蓋は、前記ハウジングの一側上に取付けられることを特徴とする請求項１に記載の室内玄関情景照明フックランプ。
【請求項７】
前記後蓋上には、複数の固定孔が形成されることを特徴とする請求項６に記載の室内玄関情景照明フックランプ。
【請求項８】
赤外線センサ及びコントローラをさらに備え、
前記赤外線センサ及び前記コントローラは、前記ハウジング内に取り付けられ、
前記照明装置、前記赤外線センサ及び前記電源は、前記コントローラと電気的に接続されることを特徴とする請求項１に記載の室内玄関情景照明フックランプ。
【考案の詳細な説明】
【技術分野】
【０００１】
本考案は、家庭用品の分野、特に照明装置に関するものであり、さらに詳しくは、室内玄関情景照明フックランプに関するものである。
【背景技術】
【０００２】
物品を吊下げる製品には従来から様々な物が市販されていたが、物品を吊下げる機能しかないことが一般的であった。そのため、これらの製品には、独創性に欠ける上、使用する環境に応じた様々なニーズを満たすことができなかった。そのため、物品を吊下げることができると共に、照明機能を備えて物品を吊下げても吊下げなくても照明機能に影響を与えないランプが求められていた。
【考案の概要】
【考案が解決しようとする課題】
【０００３】
従って、本考案の課題は、前記の如き従来技術の問題点を改善することが可能な室内玄関情景照明フックランプを提供することにある。
【課題を解決するための手段】
【０００４】
そこで、本考案者は、本考案の前記課題を解決するため鋭意検討を重ねた結果、照明装置と、複数の吊下げフックと、鉄杆と、電源と、復位部材とを少なくとも備えることにより、前記課題を解決できることに着目し、かかる知見に基いて本考案に想到するに至った。 
すなわち、上記課題を解決するために、本考案の第１の形態によれば、ハウジングと、照明装置と、複数の吊下げフックと、鉄杆と、電源と、復位部材と、ばねと、を備え、壁板上に取付けられて照明機能及び物品吊下げ機能を得る、室内玄関情景照明フックランプであって、
前記照明装置は、前記電源と電気的に接続され、前記照明装置、前記電源、前記鉄杆、前記復位部材及び前記ばねは、前記ハウジング内に取り付けられ、前記吊下げフックは、前記鉄杆を介して前記ハウジングの外表面の一側に等間隔で枢着されるとともに、前記鉄杆を軸として旋回可能であり、前記復位部材は、前記吊下げフックに当接され、前記ばねは、一端が前記ハウジングに当接され、他端が前記復位部材内に取り付けられ、物品を吊下げるときは、前記吊下げフックを開き、前記吊下げフックを旋回させると前記復位部材が内方に押圧され、前記ばねが収縮し、物品が前記吊下げフックの一側端で支えられるため、前記吊下げフックが落下するか速く復位することを防ぎ、物品を前記吊下げフックから取り外すときは、手で前記吊下げフックを引っ張ると、前記復位部材及び前記ばねの組み合わせにより、前記ハウジング上に復位し、前記吊下げフックが不用意に外れて開くことを防ぐことを特徴とする、室内玄関情景照明フックランプを提供する。
【０００５】
前記ハウジングの外表面の一側には、複数の装着溝が形成され、前記吊下げフックは、前記装着溝内に取り付けられることが好ましい。
【０００６】
前記装着溝の上下両側には、横溝が形成され、前記装着溝の底部の横溝の両側溝壁上には、装着孔が形成され、前記吊下げフックの底部には、前記吊下げフックを貫通する接続孔が形成され、前記鉄杆が前記接続孔及び前記装着孔に挿通され、前記ハウジングの外表面上には、前記吊下げフックが枢着されることが好ましい。
【０００７】
前記吊下げフックの頂部には、横向きに延びたバンプが延設され、前記吊下げフックが閉じられると、前記バンプは前記装着溝の頂部の横溝の溝口を覆うことが好ましい。
【０００８】
前記照明装置は、照明部及び透明カバーを有し、前記ハウジングの頂部には、開口溝が形成され、前記照明部は、前記ハウジング内に取り付けられるとともに、電源と接続され、前記透明カバーは、前記開口溝に取り付けられることが好ましい。
【０００９】
複数のねじ軸と、２組の蓋板と、後蓋と、をさらに備え、２組の前記蓋板は、前記ハウジングの両側を覆い、前記ねじ軸は、前記ハウジング及び前記後蓋に挿通され、
前記後蓋は、前記ハウジングの一側上に取付けられることが好ましい。
【００１０】
前記後蓋上には、複数の固定孔が形成されることが好ましい。
【００１１】
赤外線センサ及びコントローラをさらに備え、前記赤外線センサ及び前記コントローラは、前記ハウジング内に取り付けられ、前記照明装置、前記赤外線センサ及び前記電源は、前記コントローラと電気的に接続されることが好ましい。
【００１２】
かくして、本考案の要旨は、次の（１）〜（８）に記載の通りのものである。
【００１３】
（１）ハウジングと、照明装置と、複数の吊下げフックと、鉄杆と、電源と、復位部材と、ばねと、を備え、壁板上に取付けられて照明機能及び物品吊下げ機能を得る、室内玄関情景照明フックランプであって、
前記照明装置は、前記電源と電気的に接続され、
前記照明装置、前記電源、前記鉄杆、前記復位部材及び前記ばねは、前記ハウジング内に取り付けられ、
前記吊下げフックは、前記鉄杆を介して前記ハウジングの外表面の一側に等間隔で枢着されるとともに、前記鉄杆を軸として旋回可能であり、
前記復位部材は、前記吊下げフックに当接され、
前記ばねは、一端が前記ハウジングに当接され、他端が前記復位部材内に取り付けられ、
物品を吊下げるときは、前記吊下げフックを開き、前記吊下げフックを旋回させると前記復位部材が内方に押圧され、前記ばねが収縮し、物品が前記吊下げフックの一側端で支えられるため、前記吊下げフックが落下するか速く復位することを防ぎ、物品を前記吊下げフックから取り外すときは、手で前記吊下げフックを引っ張ると、前記復位部材及び前記ばねの組み合わせにより、前記ハウジング上に復位し、前記吊下げフックが不用意に外れて開くことを防ぐことを特徴とする室内玄関情景照明フックランプ。
【００１４】
（２）前記ハウジングの外表面の一側には、複数の装着溝が形成され、
前記吊下げフックは、前記装着溝内に取り付けられることを特徴とする前記（１）に記載の室内玄関情景照明フックランプ。
【００１５】
（３）前記装着溝の上下両側には、横溝が形成され、
前記装着溝の底部の横溝の両側溝壁上には、装着孔が形成され、
前記吊下げフックの底部には、前記吊下げフックを貫通する接続孔が形成され、
前記鉄杆が前記接続孔及び前記装着孔に挿通され、前記ハウジングの外表面上には、前記吊下げフックが枢着されることを特徴とする前記（２）に記載の室内玄関情景照明フックランプ。
【００１６】
（４）前記吊下げフックの頂部には、横向きに延びたバンプが延設され、
前記吊下げフックが閉じられると、前記バンプは前記装着溝の頂部の横溝の溝口を覆うことを特徴とする前記（３）に記載の室内玄関情景照明フックランプ。
【００１７】
（５）前記照明装置は、照明部及び透明カバーを有し、
前記ハウジングの頂部には、開口溝が形成され、
前記照明部は、前記ハウジング内に取り付けられるとともに、電源と接続され、
前記透明カバーは、前記開口溝に取り付けられることを特徴とする前記（１）に記載の室内玄関情景照明フックランプ。
【００１８】
（６）複数のねじ軸と、２組の蓋板と、後蓋と、をさらに備え、
２組の前記蓋板は、前記ハウジングの両側を覆い、
前記ねじ軸は、前記ハウジング及び前記後蓋に挿通され、
前記後蓋は、前記ハウジングの一側上に取付けられることを特徴とする前記（１）に記載の室内玄関情景照明フックランプ。
【００１９】
（７）前記後蓋上には、複数の固定孔が形成されることを特徴とする前記（６）に記載の室内玄関情景照明フックランプ。
【００２０】
（８）赤外線センサ及びコントローラをさらに備え、
前記赤外線センサ及び前記コントローラは、前記ハウジング内に取り付けられ、
前記照明装置、前記赤外線センサ及び前記電源は、前記コントローラと電気的に接続されることを特徴とする前記（１）に記載の室内玄関情景照明フックランプ。
【考案の効果】
【００２１】
本考案の室内玄関情景照明フックランプは、ハウジングと、ハウジングの外側に取り付けられた複数の吊下げフックと、ハウジング内に取り付けられた照明装置と、鉄杆と、電源と、復位部材と、ばねと、を備える。上述した照明装置は、電源と電気的に接続される。上述した電源は、照明装置に電気エネルギーを供給する。上述した吊下げフックは、鉄杆を介してハウジングの外表面の一側に等間隔で枢着され、上述した吊下げフックは、鉄杆を軸として用い、上下に旋回可能である。上述した復位部材は、吊下げフックに当接される。ばねは、一端がハウジングに当接され、他端が復位部材内に取り付けられる。物品を吊下げるときは、吊下げフックを開き、上述した吊下げフックを旋回させると復位部材が内方に押圧される。上述したばねが収縮し、上述した吊下げフックに物品を吊下げ、物品の重さがばねの弾性力に打ち勝つため、吊下げフックが復位することを防ぐことができる。物品を吊下げフックから取り外すと、上述したばねが伸び、復位部材を介して吊下げフックがハウジング上に再び復位する。上述した構成により、物品を吊下げても物品を吊下げない場合でも照明機能が得られるため、使用者にとって便利である。そのため本考案は実用的価値が高く、普及させる価値がある。
【図面の簡単な説明】
【００２２】
【図１】本考案の一実施形態に係る室内玄関情景照明フックランプを示す斜視図である。
【図２】図１の室内玄関情景照明フックランプの使用状態の説明図である。
【図３】図１の室内玄関情景照明フックランプを示す分解斜視図である。
【図４】図３のＡ部分の拡大図である。
【考案を実施するための形態】
【００２３】
本考案の技術手段及びそれにより達成可能な効果を、より完全かつ明白に開示するために、開示した添付の図面及び符号と併せて本考案を以下に詳説する。もっとも、本考案は、かかる図面等により限定されるものではない。
【００２４】
図１〜図４を参照する。図１〜図４に示すように、本考案の一実施形態に係る室内玄関情景照明フックランプは、ハウジング１０と、照明装置２０と、複数の吊下げフック３０と、鉄杆４０と、電源（図示せず）と、復位部材５０と、ばね６０と、を備え、壁板上に取付けられ照明機能及び物品吊下げ機能を得る。上述した照明装置２０は、電源と電気的に接続される。上述した電源は、照明装置２０に電気エネルギーを供給する。上述した照明装置２０、電源、鉄杆４０、復位部材５０及びばね６０は、上述したハウジング１０内に取り付けられる。上述した吊下げフック３０は、鉄杆４０を介してハウジング１０の外表面の一側に等間隔で枢着され、上述した吊下げフック３０は、鉄杆４０を軸として旋回可能である。上述した復位部材５０は、吊下げフック３０に当接される。ばね６０は、一端がハウジング１０に当接され、他端が復位部材５０内に取り付けられる。物品を吊下げるときは、吊下げフック３０を開く。上述した吊下げフック３０を旋回させると復位部材５０が内方に押圧され、上述したばね６０が収縮し、物品が吊下げフック３０の一側端で支えられるため、吊下げフック３０が落下するか速く復位することを防ぎ、物品を吊下げフック３０から取り外すときは、手で吊下げフック３０を引っ張ると、復位部材５０及びばね６０の組み合わせにより、速やかにハウジング１０上に復位し、吊下げフック３０が不用意に外れて開くことを防ぐことができる。
【００２５】
上述した室内玄関情景照明フックランプは、複数のねじ軸７０と、２組の蓋板８０と、後蓋９０と、を含む。上述した２組の蓋板８０は、ハウジング１０の両側を覆う。上述したねじ軸７０は、ハウジング１０及び後蓋９０に挿通させ、上述した後蓋９０をハウジング１０の一側上に取付ける。上述した後蓋９０上に形成された複数の固定孔９１により、上述した室内玄関情景照明フックランプを壁板上に取付ける。上述したハウジング１０の外表面の一側には、複数の装着溝１１が形成される。上述した吊下げフック３０は、上述した装着溝１１内に取り付けられる。上述した装着溝１１の上下両側には、横溝１２が形成される。上述した装着溝１１の底部の横溝１２の上溝壁は、吊下げフック３０を位置拘束し、吊下げフック３０が旋回し過ぎることを防ぐ。上述した装着溝１１の底部の横溝１２の両側溝壁上には、装着孔１３が形成される。上述した吊下げフック３０の底部には、吊下げフック３０を貫通する接続孔３１が形成される。上述した鉄杆４０は、接続孔３１及び装着孔１３に挿通されているため、吊下げフック３０がハウジング１０の外表面上に枢着される。上述した吊下げフック３０の頂部には、横向きに延びたバンプ３２が延設される。吊下げフック３０が閉じると、上述したバンプ３２が装着溝１１の頂部の横溝１２の溝口を覆うため、ランプの見た目が好ましく、吊下げフック３０を開くと、吊下げフック３０上に物品を吊下げることができ、バンプ３２により物品を位置拘束し、物品が落下することを防ぐ。上述した照明装置２０は、照明部（図示せず）及び透明カバー２１を含む。上述したハウジング１０の頂部には、開口溝１４が形成される。上述した照明部２２は、ハウジング１０内に取り付けられるとともに、電源と接続される。上述した透明カバー２１は、開口溝に取り付けられる。
【００２６】
上述した室内玄関情景照明フックランプは、赤外線センサ（図示せず）、コントローラ（図示せず）及び複数の弾性部材（図示せず）を含む。上述した赤外線センサ及びコントローラは、ハウジング１０内に取り付けられる。上述した照明装置２０、赤外線センサ及び電源は、コントローラと電気的に接続される。上述したコントローラは、照明装置２０のオン・オフを制御する。上述した赤外線センサは、人が近づいたときにコントローラに信号を送信する。上述したコントローラが信号を受信し、照明装置２０のオンを制御することができるため、使用者にとって操作し易い。近くに人がいないことを赤外線センサにより感知すると、上述したコントローラは、照明装置２０をオフする。上述したコントローラには、ハウジング１０の外側まで延びた照明オフスイッチ（図示せず）及び照明オンスイッチ（図示せず）が設けられ、手動により照明装置２０のオン／オフを制御することができるため、環境保護及びエネルギー節減を達成することができる。
【００２７】
上述したことから分かるように、本考案の室内玄関情景照明フックランプは、ハウジング１０と、ハウジング１０の外側に取り付けられた複数の吊下げフック３０と、ハウジング１０内に取り付けられた照明装置２０と、鉄杆４０と、電源と、復位部材５０と、ばね６０と、を備える。上述した照明装置２０は、電源と電気的に接続される。上述した電源は、照明装置２０に電気エネルギーを供給する。上述した吊下げフック３０は、鉄杆４０を介してハウジング１０の外表面の一側に等間隔で枢着され、上述した吊下げフック３０は、鉄杆４０を軸として用い、上下に旋回可能である。上述した復位部材５０は、吊下げフック３０に当接される。ばね６０は、一端がハウジング１０に当接され、他端が復位部材５０内に取り付けられる。物品を吊下げるときは、吊下げフック３０を開き、上述した吊下げフック３０を旋回させると復位部材５０が内方に押圧される。上述したばね６０が収縮し、上述した吊下げフック３０に物品を吊下げ、物品の重さがばね６０の弾性力に打ち勝つため、吊下げフック３０が復位することを防ぐことができる。物品を吊下げフック３０から取り外すと、上述したばね６０が伸び、復位部材５０を介して吊下げフック３０がハウジング１０上に再び復位する。上述した構成により、物品を吊下げても物品を吊下げない場合でも照明機能が得られるため、使用者にとって便利である。そのため本考案は実用的価値が高く、普及させる価値がある。
【００２８】
当該分野の当業者が理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２９】
１０  ハウジング
１１  装着溝
１２  横溝
１３  装着孔
１４  開口溝
２０  照明装置
２１  透明カバー
２２  照明部
３０  吊下げフック
３１  接続孔
３２  バンプ
４０  鉄杆
５０  復位部材
６０  ばね
７０  ねじ軸
８０  蓋板
９０  後蓋
９１  固定孔
【図１】
0003226218.tif 000003
【図２】
0003226218.tif 000004
【図３】
0003226218.tif 000005
【図４】
0003226218.tif 000006